(57)【要約】【課題】座部の高さ調整を素早く行うことができるとともに、高さ調整後の座部の高さ及び強度を確実に維持することができる楽器演奏用椅子の高さ調整装置を提供する。【解決手段】脚部１に固定された一対の脚部側フレーム５と、該脚部側フレーム５と略平行に延設して座部３に固定された一対の座部側フレーム６と、座部側フレーム６と脚部側フレーム５とに亘って配設されたパンタグラフ機構７と、外周面に雄ネジ１３ａが形成された棒状部材１３と、該雄ネジ１３ａと噛み合う雌ネジ１２ａを有した摺動部材１２とを備え、棒状部材１３を回転することにより、摺動部材１２を介して支持部材９の他端を摺動させ、座部３を上昇又は下降させて高さ調整を行わせる楽器演奏用椅子の高さ調整装置において、棒状部材１３に形成された雄ネジ１３ａ及び摺動部材１２の雌ネジ１２ａが二条（多条）ネジから成るものである。【選択図】　図４
2004033291.tif 000002
【特許請求の範囲】
【請求項１】
上下方向に延びる脚部に対し水平方向に延設しつつ当該脚部に固定された一対の脚部側フレームと、
該脚部側フレームと略平行に延設しつつ着座可能な座部に固定された一対の座部側フレームと、
複数の支持部材が交差しつつ前記座部側フレームと脚部側フレームとに亘って配設され、当該支持部材の一端が揺動自在とされるとともに他端が座部側フレーム又は脚部側フレームに沿って摺動自在とされたパンタグラフ機構と、
外周面に雄ネジが形成された棒状部材、及び当該雄ネジと噛み合う雌ネジを有しつつ該パンタグラフ機構に連結された摺動部材を備えた操作部と、
を備え、前記操作部の棒状部材を右回転或いは左回転することにより、前記摺動部材を介して支持部材の他端を摺動させ、前記座部を上昇又は下降させて高さ調整を行わせる楽器演奏用椅子の高さ調整装置において、
前記操作部の雄ネジ及び雌ネジが多条ネジから成ることを特徴とする楽器演奏用椅子の高さ調整装置。
【請求項２】
前記摺動部材が互いに近接又は離間可能な一対の部材から成り、これらに跨って棒状部材が延設されるとともに、夫々に形成された雄ネジ及び雌ネジが共に多条ネジから成ることを特徴とする請求項１記載の楽器演奏用椅子の高さ調整装置。
【請求項３】
前記棒状部材の先端に操作者が把持するハンドル部を有することを特徴とする請求項１又は請求項２記載の楽器演奏用椅子の高さ調整装置。
【発明の詳細な説明】
【０００１】
【発明の属する技術分野】
本発明は、ピアノなどの楽器を演奏する際に用いられる椅子における座部を上昇又は下降させて高さ調整を行い得る楽器演奏用椅子の高さ調整装置に関する。
【０００２】
【従来の技術】
ピアノやオルガン等楽器の演奏時に用いられる従来の楽器演奏用椅子として、図７に示すようなものが挙げられる。同図で示された楽器演奏用椅子１００は、上下方向に延びた複数の脚部１０１と、演奏者が着座し得るよう平板状に形成された座部１０２と、これら脚部１０１と座部１０２との間に介在した高さ調整装置１０３とから主に構成されている。
【０００３】
上記楽器演奏用椅子によれば、楽器の演奏前に、演奏者が高さ調整装置１０３を操作することにより座部１０２を脚部１０１に対して上昇又は下降させ、任意の高さに調整することができ、好みの着座高さにて演奏を行うことができる。高さ調整装置１０３は、脚部１０１側に固定された脚部側フレーム１０４と、座部１０２側に固定された座部側フレーム１０５と、これらに懸架されたパンタグラフ機構１０６と、該パンタグラフ機構１０６を操作する棒状部材１０７と、該棒状部材１０７先端に形成されて操作者が把持し得るハンドル部１０８とから主に構成されている。
【０００４】
より具体的には、図８に示すように、棒状部材１０７における２箇所の外周面に左ネジ１０７ａ及び右ネジ１０７ｂを形成しておき、これら各ネジ１０７ａ、１０７ｂのそれぞれに噛み合う雌ネジ（不図示）が形成された摺動部材１０９ａ及び１０９ｂを具備させて構成されている。該摺動部材１０９ａ及び１０９ｂは、左右一対の座部側フレーム１０５に懸架され、棒状部材１０７を右回転又は左回転させると、互いに近接又は離間し得るようになっている。
【０００５】
即ち、演奏者がハンドル部１０８を把持しつつ右回転又は左回転すると、棒状部材１０７が回転して摺動部材１０９ａ及び１０９ｂを互いに近接又は離間方向に摺動させる。これら摺動部材１０９ａと１０９ｂとが近接方向に摺動すると、パンタグラフ機構１０６が座部１０２を下降する動作をし、反対に離間方向に摺動すると、パンタグラフ機構１０６が座部１０２を上昇させる動作をするので、当該座部１０２の高さ調整が可能とされる。
【０００６】
【発明が解決しようとする課題】
しかしながら、上記従来の楽器演奏用椅子の高さ調整装置においては、棒状部材１０７の外周面に形成されたネジが一条ネジから成るので、座部１０２を素早く上昇又は下降させるには、ハンドル部１０８を速く回転操作しなければならず、例えば演奏直前における座部の高さ調整時のように、より早い調整操作が求められる場合において不都合が生じるという問題があった。
【０００７】
また、座部１０２の上昇又は下降操作を速く行わせるべく、棒状部材１０７の雄ネジ及びこれと対応する雌ネジのピッチを大きくする（リードを大きくする）ことが考えられるが、ピッチを大きくすればリード角も大きくなって以下の如き不具合を生じてしまう。即ち、リード角が大きいと雌ネジと雄ネジとの噛み合い摩擦が低減してしまうので、操作者が座部１０２に着座したりして座部１０２から下方に向かって比較的大きな荷重が加わると、その荷重で棒状部材１０７が回転し、非操作時においても当該座部１０２が下降してしまう虞があった。
【０００８】
更に、ピッチを大きくすると、雄ネジと雌ネジとの噛み合い部が減少することにより、座部１０２から下方に向かう荷重に対する強度が低減してしまうという問題もある。特に、国等が定める安全基準は、比較的高負荷にも耐え得るよう設定されているため、強度が低減してしまうと当該安全基準を満たさなくなってしまう虞がある。
【０００９】
本発明は、このような事情に鑑みてなされたもので、座部の高さ調整を素早く行うことができるとともに、高さ調整後の座部の高さ及び強度を確実に維持することができる楽器演奏用椅子の高さ調整装置を提供することにある。
【００１０】
【課題を解決するための手段】
請求項１記載の発明は、上下方向に延びる脚部に対し水平方向に延設しつつ当該脚部に固定された一対の脚部側フレームと、該脚部側フレームと略平行に延設しつつ着座可能な座部に固定された一対の座部側フレームと、複数の支持部材が交差しつつ前記座部側フレームと脚部側フレームとに亘って配設され、当該支持部材の一端が揺動自在とされるとともに他端が座部側フレーム又は脚部側フレームに沿って摺動自在とされたパンタグラフ機構と、外周面に雄ネジが形成された棒状部材、及び当該雄ネジと噛み合う雌ネジを有しつつ該パンタグラフ機構に連結された摺動部材を備えた操作部とを備え、前記操作部の棒状部材を右回転或いは左回転することにより、前記摺動部材を介して支持部材の他端を摺動させ、前記座部を上昇又は下降させて高さ調整を行わせる楽器演奏用椅子の高さ調整装置において、前記操作部の雄ネジ及び雌ネジが多条ネジから成ることを特徴とする。
【００１１】
請求項２記載の発明は、請求項１記載の楽器演奏用椅子の高さ調整装置において、前記摺動部材が互いに近接又は離間可能な一対の部材から成り、これらに跨って棒状部材が延設されるとともに、夫々に形成された雄ネジ及び雌ネジが共に多条ネジから成ることを特徴とする。
【００１２】
請求項３記載の発明は、請求項１又は請求項２記載の楽器演奏用椅子の高さ調整装置において、前記棒状部材の先端に操作者が把持するハンドル部を有することを特徴とする。
【００１３】
【発明の実施の形態】
以下、本発明の実施形態について図面を参照しながら具体的に説明する。
本実施形態に適用される楽器演奏用椅子は、ピアノやオルガン等の楽器を演奏する際に演奏者が着座するもので、他の用途の椅子に比べ座部の高さ調整が頻繁に行われるべきものである。かかる楽器演奏用椅子は、図１に示すように、４本の脚部１と、該脚部１同士を結ぶべく水平方向に延設されたフレーム部２と、演奏者が着座し得る座部３と、脚部１及びフレーム部２と座部３との間に介在する高さ調整装置４とから主に構成されている。
【００１４】
脚部１は、上下方向に延びた断面矩形の柱状木製部材（又は金属溶接パイプ部材等であってもよい）から成り、上方に位置する座部３及び高さ調整装置４を支持するためのものである。この脚部１における、それぞれの下端には床面と当接する樹脂製の脚キャップ１ａが嵌め込まれていおり、楽器演奏用椅子を設置した床面に傷等が付かないようになっている。尚、脚部２は、３本又は５本以上であってもよい。
【００１５】
フレーム部２は、脚部１の一部を構成し、上下に延設された隣り合う脚部１における上端部近傍同士を連結した断面矩形の梁状木製部材（又はＣ型の金属板金部材等であってもよい）から成り、楽器演奏用椅子の正面及び背面に位置するものの方が側面に位置するものよりも長く形成されている。即ち、椅子全体として平面視長方形状となるべく形成されており、上部に配設される座部３の幅方向の寸法が大きくなるよう設計されている。
【００１６】
座部３は、演奏者が着座し得る矩形状の木製板材から成るもので、演奏者が着座し易いよう例えば上面にクッション材等を形成させたものとしてもよい。また、座部３は、高さ調整装置４の上部に固定され、該高さ調整装置４を操作することにより、脚部１やフレーム部２に対して上昇又は下降し得るよう構成されている。
【００１７】
高さ調整装置４は、座部３を脚部１（床面）に対して上昇又は下降させて当該座部３の高さ調整を行うもので、図２及び図３に示すように、脚部側フレーム５と、座部側フレーム６と、脚部側フレーム５と座部側フレーム６との間に介在したパンタグラフ機構７と、該パンタグラフ機構７における上部に配設された操作部８とから主に構成されている。
【００１８】
脚部側フレーム５は、上下方向に延びる脚部１に対し水平方向に延設しつつフレーム部２を介して当該脚部１に固定されたものであり、楽器演奏用椅子の正面側及び背面側にそれぞれ配設されることにより、向かい合った一対の部材を構成している。各脚部側フレーム５の側面には、所定長さの溝５ａが２つ（正面側と背面側と合わせて４つ）形成されている。
【００１９】
座部側フレーム６は、脚部側フレーム５と略平行に延設しつつ着座可能な座部３の裏面側（図２における下面側）に固定されたもので、当該脚部側フレーム５と同様、楽器演奏用椅子の正面側及び背面側にそれぞれ配設されることにより、向かい合った一対の部材を構成している。各座部側フレーム６の側面には、前述した脚部側フレーム５の溝５ａと対応した溝６ａ（各座部側フレーム６に２つ合計４つ形成）が形成されている。
【００２０】
パンタグラフ機構７は、脚部側フレーム５と座部側フレーム６とに亘って交差しつつ配設された複数の支持部材９及び１０から成り、このうち支持部材９は、その一端が脚部側フレーム５に対して揺動自在に取り付けられ、他端が座部側フレーム６に対して摺動自在に取り付けられている一方、支持部材１０は、その一端が座部側フレーム６に対して揺動自在に取り付けられ、他端が脚部側フレーム５に対して摺動自在に取り付けられている。
【００２１】
即ち、支持部材９、１０の一端（支持部材９の下端及び支持部材１０の上端）は、脚部側フレーム５及び座部側フレーム６のそれぞれに対してリベットＲによって支持されており、該リベットＲを中心に揺動自在とされる一方、他端（支持部材９の上端及び支持部材１０の下端）は、脚部側フレーム５及び座部側フレーム６における対向した溝５ａ、６ａに跨って形成された摺動部材１１、１２に固定され、これら摺動部材１１、１２が溝５ａ及び６ａに沿ってスライドすることにより摺動自在とされている。
【００２２】
また、各支持部材９と１０が交差する部位は、リベットＲ’によって連結されており、交差状態を維持しつつ支持部材９及び１０の一端を中心とした揺動及び他端の摺動を許容している。即ち、摺動部材１２（１１でも可）を摺動させれば、支持部材９と１０とが交差しつつ揺動し、脚部側フレーム５と座部側フレーム６との間隙寸法を可変とすることができるのである。
【００２３】
上記摺動部材１１、１２のうち座部側フレーム６の溝６ａに跨った摺動部材１２には、図４で示すように、外周面に雄ネジ１３ａ、１３ｂが形成された棒状部材１３の当該雄ネジ１３ａ、１３ｂとそれぞれ噛み合う雌ネジ１２ａ、１２ｂが形成されている。尚、かかる棒状部材１３及び摺動部材１２は、本発明の操作部８を構成しており、摺動部材１２を介して当該操作部８がパンタグラフ機構７に連結されている。
【００２４】
また、棒状部材１３に形成された雄ネジ１３ａ及び１３ｂは、それぞれ左ネジ及び右ネジとされ（勿論、これらと噛み合う雌ネジ１２ａ、１２ｂも雄ネジに対応したネジとされている）、棒状部材１３をその軸周りに回転させると、２つの摺動部材１２が互いに近接又は離間可能とされている。尚、雄ネジ１３ａを右ネジ、雄ネジ１３ｂを左ネジとしてもよい。
【００２５】
ここで、本実施形態における雄ネジ１３ａ、１３ｂ及び雌ネジ１２ａ、１２ｂは、二条ネジから成るものである。即ち、一条ネジと同一のピッチとした場合、２倍のリードが得られるため、棒状部材１３を回転させることによる座部３の上昇又は下降動作が２倍の速さで行い得るものとされている。尚、本実施形態においては、二条ネジを用いているが、三条以上の多条ネジとしてもよく、その場合であっても、一条ネジに比べ、数倍のリードを得ることができるため、座部３の上昇又は下降動作を高速で行うことができる。
【００２６】
更に、棒状部材１３の先端には、操作者（主に楽器の演奏者）が把持するためのハンドル部１４が形成されていおり、かかるハンドル部１４を把持しつつ所望方向に回転させることにより、棒状部材１３を回転させ、座部３を上昇又は下降操作することができるよう構成されている。
【００２７】
このように、モータ等によって棒状部材１３を回転させるものではなく、マニュアル（手操作）にて高さ調整を行うよう構成されているため、座部３の高さ調整を素早く行うことができるという本実施形態による効果を十分に発揮することができる。即ち、演奏者がハンドル部１４を把持して座部３の高さ調整を行うべき楽器演奏用椅子においては、例えば演奏者が座部３に着座したまま操作することが多いので、操作時の姿勢が不自然となってしまい、素早い調整完了が強く望まれているからである。勿論、棒状部材１３を別途のモータで回転駆動させるようにしてもよい。
【００２８】
次に、上記構成の楽器演奏用椅子の高さ調整装置４における作用について説明する。
必要に応じて座部３の高さ調整を行う際、楽器の演奏者等操作者は、ハンドル部１４を把持しつつ右又は左方向に回転操作する。それに伴い、棒状部材１３がその軸周りに回転し、雄ネジ１３ａ、１３ｂが雌ネジ１２ａ、１２ｂと噛み合いつつ各摺動部材１２を移動させる。このとき、雄ネジ１３ａと１３ｂとでは異なる方向のネジとされているので、摺動部材１２は互いに近接又は離間する方向に移動することとなる。
【００２９】
例えば、図５に示すように、摺動部材１２が近接する方向（同図矢印方向）に移動すると、支持部材９がリベットＲを中心として床面に対する傾斜角が小さくなる方向に揺動する。これに伴い、摺動部材１１も互いに近接する方向に移動し、支持部材１０がリベットＲを中心として床面に対する傾斜角が小さくなる方向に揺動する。これにより、脚部側フレーム５と座部側フレーム６との離間寸法Ｈが小さくなる方向に座部３が移動し、該座部３の位置を低くすることができる。
【００３０】
反対に、図６に示すように、摺動部材１２が離間する方向（同図矢印方向）に移動すると、支持部材９がリベットＲを中心として床面に対する傾斜角が大きくなる方向に揺動し、これに伴い、摺動部材１１も互いに離間する方向に移動する。これにより、支持部材１１もリベットＲを中心として床面に対する傾斜角が大きくなる方向に揺動し、脚部側フレーム５と座部側フレーム６との離間寸法Ｈが大きくなる方向に座部３が移動し、該座部３の位置を高くすることができる。
【００３１】
ここで、本実施形態においては、雄ネジ１３ａ及び雌ネジ１２ａが共に二条ネジから成るので、ハンドル部１４を１回転させた時における摺動部材１２の移動量が一条ネジに比べて２倍とされているため、座部３の上昇又は下降寸法も２倍となり、当該座部３の高さ調整を素早く行うことができる。なお且つ、ピッチは従来の一条ネジと同様であるため、雄ネジ１３ａ及び雌ネジ１２ａのリード角は大きくならず、高さ調整後の座部３の高さを確実に維持することができるとともに、強度も維持することができる。
【００３２】
即ち、多条ネジによって、ピッチは従来のままでリードのみを増加させることができるので、雄ネジと雌ネジの噛み合い摩擦を維持することができ、従って、座部３から下方に向かって比較的大きな荷重が加わっても、その荷重による棒状部材１３の回転を抑制でき、ハンドル部１４の非操作時において座部３が下降してしまうのを防止することができる。また、ピッチを大きくすることによる他の不具合（例えば雄ネジと雌ネジの噛み合い部の減少）を回避でき、比較的高負荷にも耐えることができる。
【００３３】
以上、本実施形態について説明したが、本発明はこれに限定されるものではなく、例えば他の種々形態（脚部１が３本、又は５本以上のものや、座部が平面視円形状のもの等）の楽器演奏用椅子に適用してもよい。また、ハンドル部を棒状部材１３の両端に設けるようにしたり、或いは棒状部材１３の雄ネジ１３ａと噛み合うべき雌ネジを摺動部材１１側に設けるようにし、当該摺動部材１１を操作するようにしてもよい。
【００３４】
【発明の効果】
請求項１の発明によれば、操作部の雄ネジ及び雌ネジが多条ネジから成るので、ピッチを従来と同様にしつつリードを２倍以上とすることができ、座部の高さ調整を素早く行うことができる。更に、ピッチが従来と同様であるため、リード角が大きくならず高さ調整後の座部の高さを確実に維持することができるとともに、強度も維持することができる。
【００３５】
請求項２の発明によれば、摺動部材が一対の部材から成り、これらに跨って棒状部材が延設されるとともに、夫々に形成された雄ネジ及び雌ネジが共に多条ネジから成るので、高さ調整を更に素早く行うことができるとともに、強度を更に向上させることができる。
【００３６】
請求項３の発明によれば、ハンドル部を回転させて座部の高さ調整を行うので、当該高さ調整を素早く行うことができるという請求項１及び請求項２による効果を十分に発揮することができる。即ち、演奏者がハンドル部を把持して座部の高さ調整を行うべき楽器演奏用椅子においては、例えば演奏者が座部に着座したまま操作することが多いので、操作時の姿勢が不自然となってしまい、素早い調整完了が強く望まれているからである。
【図面の簡単な説明】
【図１】本発明の実施形態に適用される楽器演奏用椅子を示す斜視図
【図２】本発明の実施形態に係る楽器演奏用椅子の高さ調整装置を示す正面図
【図３】同上面図
【図４】図３におけるＩＶ−ＩＶ線断面図
【図５】本発明の実施形態に係る楽器演奏用椅子の高さ調整装置の作用を示すための側面図（座部が下降端にある場合）
【図６】本発明の実施形態に係る楽器演奏用椅子の高さ調整装置の作用を示すための側面図（座部が上昇端にある場合）
【図７】従来の楽器演奏用椅子を示す正面図
【図８】従来の楽器演奏用椅子の高さ調整装置を示す上面図
【符号の説明】
１…脚部
２…フレーム部
３…座部
４…高さ調整装置
５…脚部側フレーム
６…座部側フレーム
７…パンタグラフ機構
８…操作部
９、１０…支持部材
１１、１２…摺動部材
１３…棒状部材
１４…ハンドル部
【図１】
2004033291.tif 000003
【図２】
2004033291.tif 000004
【図３】
2004033291.tif 000005
【図４】
2004033291.tif 000006
【図５】
2004033291.tif 000007
【図６】
2004033291.tif 000008
【図７】
2004033291.tif 000009
【図８】
2004033291.tif 000010